(57)【要約】【課題】印刷後加工のための新式の装置を提供すること。【解決手段】アクチュエータ（１４）を有する印刷後加工のための装置、特に折り機であって、アクチュエータ（１４）は、少なくとも１つの電動リフティングマグネット（１５、１６）を使って、時間的に任意にコントロール可能な順序で、第１位置から第２位置へ、および／あるいは第２位置から第１位置へ移行可能であり、アクチュエータ（１４）は、第１位置および／あるいは第２位置で、少なくとも１つの別個の保持具（１７、１８）を介して固定可能である。【選択図】図１
2015048250.tif 000002
【特許請求の範囲】
【請求項１】
アクチュエータ（１４）を有する印刷後加工のための装置、特に折り機であって、前記アクチュエータ（１４）は、少なくとも１つの電動リフティングマグネット（１５、１６）を使って、時間的に任意にコントロール可能な順序で、第１位置から第２位置へ、および／あるいは第２位置から第１位置へ移行可能である装置において、前記アクチュエータ（１４）は、第１位置および／あるいは第２位置で、少なくとも１つの別個の保持具（１７、１８）を介して固定可能であることを特徴とする装置。
【請求項２】
前記アクチュエータ（１４）は、１つだけの電動リフティングマグネット（１５、１６）を使って、第１位置から第２位置へ、あるいは第２位置から第１位置へ移行可能であり、第２位置から第１位置へのあるいは第１位置から第２位置への前記アクチュエータ（１４）の逆方向の移行は、バネ弾性のある戻り要素を使って行われることを特徴とする請求項１に記載の装置。
【請求項３】
前記アクチュエータ（１４）は、第１電動リフティングマグネット（１５）を使って、第１位置から第２位置へ移行可能であり、前記アクチュエータ（１４）は、第２電動リフティングマグネット（１６）を使って、第２位置から第１位置へ移行可能であることを特徴とする請求項１に記載の装置。
【請求項４】
前記アクチュエータ（１４）は、第１位置および／あるいは第２位置で、それぞれ１つの保持具（１７、１８）を介して固定可能であることを特徴とする請求項１から３のいずれか１項に記載の装置。
【請求項５】
前記あるいは各保持具（１７、１８）は、切替可能な保持具として形成されていることを特徴とする請求項１から４のいずれか１項に記載の装置。
【請求項６】
前記あるいは各保持具（１７、１８）は、空気圧でおよび／あるいは電気で切替可能であることを特徴とする請求項５に記載の装置。
【請求項７】
前記あるいは各保持具（１７、１８）は、電磁石として形成されていることを特徴とする請求項５に記載の装置。
【請求項８】
前記あるいは各保持具（１７、１８）は、切替不可能な保持具として形成されていることを特徴とする請求項１から４のいずれか１項に記載の装置。
【請求項９】
前記あるいは各保持具（１７、１８）は、永久磁石あるいは機械的なクランプ要素として形成されていることを特徴とする請求項８に記載の装置。
【請求項１０】
前記アクチュエータ（１４）は、印刷された折り丁の輸送流れ（１１）に影響を及ぼすのに寄与し、前記アクチュエータ（１４）は、第１位置で折り丁を第１の方向に誘導もしくは向け、第２位置で折り丁を第２の方向に誘導もしくは向けることを特徴とする請求項１から９のいずれか１項に記載の装置。
【請求項１１】
前記アクチュエータ（１４）は、折り丁切替ポイント（１０）の転向舌状部を形成することを特徴とする請求項１０に記載の装置。
【発明の詳細な説明】
【技術分野】
【０００１】
本発明は、請求項１のおいて書きに記載の印刷後加工のための装置に関する。
【背景技術】
【０００２】
印刷後加工のための装置、特に折り機において、少なくとも１つの電動リフティングマグネットを使って、時間的に任意にコントロール可能な順序で、第１位置から第２位置へ、かつ逆に第２位置から第１位置へ移行可能なアクチュエータが設けられている。これまでに知られているそのようなアクチュエータはたとえばいわゆる転向舌状部であり、当該転向舌状部を使って、アクチュエータが第１位置で折り丁を第１の方向に向けもしくは誘導し、第２位置で折り丁を第２の方向に向けもしくは誘導するように、印刷された折り丁の輸送流れに影響を及ぼすことができる。その際それぞれのアクチュエータは、電動リフティングマグネットを使って、一方では位置間で移行され、他方では電動リフティングマグネットを介してそれぞれの位置で保持される。そのようなアクチュエータが電動リフティングマグネットを介して所定の位置で保持される場合、電動リフティングマグネットが過熱し、その際破損しかねない危険がある。
【発明の概要】
【発明が解決しようとする課題】
【０００３】
以上のことから、本願発明の課題は、印刷後加工のための新式の装置を提供することである。
【課題を解決するための手段】
【０００４】
この課題は、請求項１に記載の印刷後加工のための装置によって解決される。本発明に従えば、アクチュエータは、第１位置および／あるいは第２位置で、少なくとも１つの別個の保持具を介して固定可能である。
【０００５】
本願発明を使って提案されるのは、当該あるいは各電動リフティングマグネットを、もっぱら２つの位置の間でアクチュエータを移行させるために用いるが、しかし当該あるいは各電動リフティングマグネットを、それぞれの位置での保持具としては利用せず、むしろ少なくとも１つの別個の保持具を介して、アクチュエータを第１位置および／あるいは第２位置で固定することである。
【０００６】
それに従えば、電動リフティングマグネットは、もっぱらアクチュエータを２つの位置の間で移行させるのに用いられ、その後当該アクチュエータを当該位置で保持するためには用いられないので、電動リフティングマグネットはアクチュエータを保持するためにもはや通電されず、その結果電動リフティングマグネットが過熱する危険はない。
【０００７】
好適にはアクチュエータは、第１位置と第２位置とで、それぞれ１つの別個の保持具を介して固定可能である。アクチュエータが少なくとも１つの位置でそれぞれ１つの保持具を介して固定可能であれば、電動リフティングマグネットの過熱を確実に回避できる。
【０００８】
第１の有利なさらなる形態に従えば、アクチュエータは、１つだけの電動リフティングマグネットを使って、第１位置から第２位置へ、あるいは第２位置から第１位置へ移行可能であり、第２位置から第１位置へのあるいは第１位置から第２位置へのアクチュエータの逆方向の移行は、バネ弾性のある戻り要素を使って行われる。
【０００９】
アクチュエータを第１移動方向に移行させるために電動リフティングマグネットを１つだけ用い、かつアクチュエータを逆の移動方向に移動させるためにバネ弾性のある戻り要素を用いることは容易であるが、しかしながら、少なくとも１つの切替可能な保持具を用いることが必要である。
【００１０】
代替的な第２の有利なさらなる形態に従えば、アクチュエータは、第１電動リフティングマグネットを使って、第１位置から第２位置へ移行可能であり、アクチュエータは、第２電動リフティングマグネットを使って、第２位置から第１位置へ移行可能である。それぞれ逆の移動方向でのアクチュエータの移動を担う２つの電動リフティングマグネットによって動作する本発明のこのさらなる形態は、切替可能な保持具なしに可能である。
【００１１】
本発明の好ましいさらなる形態は、従属請求項と以下の記述とからもたらされる。本発明の実施例は、図に基づいてより詳細に説明されるが、それに限定されるものではない。図に示されるのは以下である。
【図面の簡単な説明】
【００１２】
【図１】本発明の好ましい一実施例に従った、印刷後加工のための装置の詳細図である。
【発明を実施するための形態】
【００１３】
本願発明は、印刷後加工のための装置特に折り機に関する。図１は、印刷された折り丁の輸送流れ１１を２つの部分流れ１２、１３に分けるのに使われる、いわゆる折り丁切替ポイント１０の領域における折り機の部分図を示している。
【００１４】
図１の折り丁切替ポイント１０は、図１において２つの位置すなわち、輸送流れ１１の折り丁が第１の方向つまり部分流れ１２への方向に向けられもしくは誘導される第１位置と、輸送流れ１１の折り丁が第２の方向つまり第２の部分流れ１３への方向に誘導されもしくは向けられる第２位置とで示されているアクチュエータ１４を備える。
【００１５】
アクチュエータ１４が、輸送流れ１１の折り丁を第１の部分流れ１２への方向に誘導もしくは向ける、当該アクチュエータ１４の第１位置は、図１において、実線で表わされており、それに対して、アクチュエータ１４が、折り丁を第２の方向つまり第２の部分流れ１３への方向に向けもしくは誘導する、当該アクチュエータ１４の第２位置は、図１において、一点鎖線で示されている。
【００１６】
図１において示されたアクチュエータ１４の前部分１４ａは、折り丁切替ポイント１０のいわゆる転向舌状部を形成する。
【００１７】
図１の示された実施例において、アクチュエータ１４は、第１位置から第２位置へ、および逆に第２位置から第１位置へ、それぞれ１つの電動リフティングマグネット１５もしくは１６を使って移行可能である。図１において、電動リフティングマグネット１５は、図１において実線で示された第１位置から、図１において一点鎖線で示された第２位置への、アクチュエータ１４の移動を担っている。電動リフティングマグネット１６は、図１において一点鎖線で示された第２位置から、図１において実線で示された第１位置への、アクチュエータ１４の移動を担っている。
【００１８】
本発明に従えば、電動リフティングマグネット１５、１６は、もっぱら、これら２つの位置の間でアクチュエータ１４を移行させるために用いられ、それぞれの位置でアクチュエータ１４を固定するのは、少なくとも１つの別個の保持具を介して、図１においては２つの保持具１７、１８を介して行われる。アクチュエータ１４が、図１において実線で示された第１位置を占めるとき、保持具１７がアクチュエータ１４をこの第１位置で固定する。これに反して、アクチュエータ１４が、図１において一点鎖線で示された第２位置を占めるとき、保持具１８がアクチュエータ１４をこの第２位置で固定する。
【００１９】
電動リフティングマグネット１５、１６と保持具１７、１８とは、図１において示されたアクチュエータ１４の後部分１４ｂに作用するが、構造に応じたアクチュエータ１４の幾何学形状によっては、支点２１に対して、保持具１７、１８の別の側にも取り付けられていてよい。
【００２０】
アクチュエータ１４の２つの移動方向に、つまり第１位置から始まって第２位置へのアクチュエータ１４の移動および第２位置から始まって第１位置への逆の移動方向では、それぞれ１つの個々の電動リフティングマグネット１５もしくは１６が用いられる、示された好ましい実施例において、２つの保持具１７、１８は、好適には切替不可能な保持具として、たとえば永久磁石として形成されている。
【００２１】
そのような永久磁石は、アクチュエータ１４をそれぞれの位置でそれぞれ確実に保持することができ、そうなれば、それぞれの位置からそれぞれ別の位置にアクチュエータ１４を移行させるために、それぞれの電動リフティングマグネット１５もしくは１６はそれぞれ、永久磁石によってもたらされる保持力に勝りさえすればよい。そのような構造は、信頼性がありかつ容易である。
【００２２】
図１において示された永久磁石とは異なって、切替不可能な保持具として、アクチュエータ１４をそれぞれの位置で保持する、たとえば逆鉤状の係止要素あるいはスナップロックあるいは掛け金の形状をした機械的なクランプ要素も使用されてよい。この場合、それぞれの電動リフティングマグネット１５もしくは１６は、アクチュエータ１４がそれぞれ別の位置に移行する際に、そのような機械的なクランプ要素の係止力に勝らなくてはならない。
【００２３】
示された実施例とは異なって、アクチュエータ１４がもっぱら、１つだけの電動リフティングマグネットを介して、第１位置から第２位置へあるいは代替的に第２位置から第１位置へ、１つだけの移動方向に移行可能なことも考えられ得る。
【００２４】
そうなれば、第２位置から第１位置へのあるいは代替的に第１位置から第２位置へのアクチュエータ１４の逆方向の移行は好適には、バネ弾性のある戻り要素を使って行われる。そうなれば、２つの位置において、アクチュエータ１４は好適には、再び別個の保持具を介して固定される。
【００２５】
アクチュエータ１４が、移動方向に、バネ弾性のある戻り要素を使って、それぞれの開始位置からそれぞれの終了位置まで移動される場合、アクチュエータ１４をそのそれぞれの開始位置で保持する保持具は、バネ弾性のある戻り要素を使ってのアクチュエータ１４の移行を解除するために、切替可能な保持具でなくてはならない。そのような切替可能な保持具は、たとえば電気で切替可能な電磁石あるいはその他の特に空気圧でおよび／あるいは電気で切替可能な保持具であってよい。
【００２６】
切替可能な保持具として電磁石の利用を考慮して、説明されるべきことは、電動リフティングマグネットと対照的に、リフティング運動を実施せずに、むしろもっぱらアクチュエータ１４をそれぞれの位置に固定もしくは保持するのに使われる電磁石は、過熱しにくいということである。それでそのような電磁石は、必要な保持力が可能なように作られ得、かつ電動リフティングマグネットと対照的に、高頻度のリフティング運動を実施する必要はない。
【００２７】
図１において、アクチュエータ１４と２つの電動リフティングマグネット１５、１６と、２つの保持具１７、１８に加えて、転向ローラ１９が示されており、この箇所で、印刷された折り丁の輸送流れ１１を前進させるのに使われるコンベヤベルト２０が方向転換する。部分流れ１２、１３に分かれる、輸送流れ１１の折り丁は同様に、転向ローラでガイドされるそのような輸送ベルトを使って、輸送されてよい。
【００２８】
好適には、少なくとも１つの電動リフティングマグネット１５もしくは１６は、それぞれの電動リフティングマグネット１５、１６と同じ側でアクチュエータ１４に位置する保持具１７もしくは１８とともに、調節可能もしくは移動可能である。これによって、アクチュエータ１４の位置の少なくとも１つつまり第１位置および／あるいは第２位置を変えることができる。
【符号の説明】
【００２９】
１０  折り丁切替ポイント
１１  輸送流れ
１２  部分流れ
１３  部分流れ
１４  アクチュエータ
１４ａ  部分
１４ｂ  部分
１５  電動リフティングマグネット
１６  電動リフティングマグネット
１７  保持具
１８  保持具
１９  転向ローラ
２０  ベルトコンベヤ
２１  支点／軸受
【図１】
2015048250.tif 000003